(57)【特許請求の範囲】
【請求項１】
ごみ選別用回転ドラムの軸方向にのびるようにパイプ製長尺ごみ絡ませバーがごみ選別用回転ドラム内に配置され、バーにエンドレスチェーンが内蔵されており、チェーンに長尺ごみ係合部材が取付られ、バー内における長尺ごみ係合部材の移動経路の適所に長尺ごみ溶断熱源が配置されている破砕ごみ選別装置。
【請求項２】
長尺ごみ溶断熱源の近辺に不活性ガスを供給するガス供給手段が備わっている請求項１記載の破砕ごみ選別装置。
【請求項３】
ガス供給手段が、ガス噴出ノズルを備えており、熱源およびガス噴出ノズルの噴孔が不活性ガスチャンバによって取り囲まれている請求項２記載の破砕ごみ選別装置。
【請求項４】
長尺ごみ係合部材が、チェーンの直線移動経路と直交する軸線を中心として揺動自在であり、不活性ガスチャンバのチェーン移動経路側の端部が開口させられ、長尺ごみ係合部材の揺動端部に鉤状部が設けられ、不活性ガスチャンバの開口近辺にストッパが設けられ、長尺ごみ係合部材がストッパに当接し揺動させられて、鉤状部が不活性ガスチャンバ内に進入するようになされている請求項３記載の破砕ごみ選別装置。
【請求項５】
鉤状部の内縁部にこれにそってのびた長尺ごみ切断切刃が設けられている請求項４記載の破砕ごみ選別装置。
【発明の詳細な説明】
【０００１】
【発明の属する技術分野】
この発明は、粗大ごみ、不燃ごみを破砕処理した後に、破砕ごみの大小を選別する選別装置に関する。
【０００２】
【従来の技術】
破砕ごみは、主として、小片不燃物、中片アルミニウム混合物および大片可燃物に選別される。不燃物は、埋立基準による埋立物に準拠するもので、埋立処分される。アルミニウム混合物からはアルミニウムだけを選別し、これを有価物として、再利用する。アルミニウムの回収率は、ごみ全体に含まれるアルミニウムのうち、６０〜７０％（重量比）である。可燃物は、ごみ焼却施設等へ搬送され、焼却処分される。
【０００３】
従来、この種の装置としては、回転ドラムの一端に投入口が、その他端に排出口が設けられており、投入口が排出口より高くなるように回転ドラムが傾斜配置されており、回転ドラムの胴壁に多数の選別用孔があけられているものが知られている。
【０００４】
【発明が解決しようとする課題】
破砕ごみの中には長尺ごみが含まれている。長尺ごみは、例えば、ビデオテープや録音テープのケースを破砕した結果、ケースから取出されたテープ、包装用テープである。
【０００５】
上記のような長尺ごみは、選別用孔を通過する際に、選別用孔に引掛かることがある。そうすると、選別用孔が目詰りを起し、選別能力が低下する。さらに、長尺ごみが選別用孔に引掛かったままで選別装置の運転を続けると、長尺ごみが胴壁外面に巻き付いて、回転ドラムの回転に支障を来し、選別装置の運転を停止しなければならなくなる。
【０００６】
上記のようなトラブルを防止するために、日常点検で作業員が回転ドラム内に入り、鎌等によってからまった長尺ごみを切断するようにしていたが、この作業は、劣悪な環境下における危険な重労働であった。
【０００７】
この発明の目的は、長尺ごみが回転ドラムの選別用孔に引掛かることを防止し、選別性能低下や運転中止を防止できる破砕ごみ選別装置を提供することにある。
【０００８】
【課題を解決するための手段】
この発明による破砕ごみ選別装置は、ごみ選別用回転ドラム内をその軸方向にのびるように長尺ごみ絡ませバーが配置され、バーにそって移動しうるように長尺ごみ係合部材が配置され、長尺ごみ係合部材の移動経路の適所に長尺ごみ溶断熱源が配置されているものである。
【０００９】
この発明による破砕ごみ選別装置では、バーに絡ませた長尺ごみが係合部材によって熱源のところまで引き寄せられて溶断される。したがって、回転ドラムに長尺ごみがからみ付くことを防止し、選別性能の低下や運転中止を防止できる。さらに、熱源による溶断にともなう長尺ごみ溶断熱源の近辺に不活性ガスを供給するガス供給手段が備わっていると、粉塵爆発や火災事故を未然に防止できる。
【００１０】
また、ガス供給手段が、ガス噴出ノズルを備えており、熱源およびガス噴出ノズルの噴孔が不活性ガスチャンバによって取り囲まれていると、チャンバ内に不活性ガスを滞留させることができ、必要なガスが少量で済む。
【００１１】
また、エンドレスチェーンが、その直線移動経路をバーにそわせるように配置され、チェーンに、これの直線移動経路と直交する軸線を中心として揺動しうるように長尺ごみ係合部材が取付けられ、不活性ガスチャンバのチェーン移動経路を臨む側の端部が開口させられ、長尺ごみ係合部材の揺動端部に鉤状部が設けられ、不活性ガスチャンバの開口近辺にストッパが設けられ、長尺ごみ係合部材がストッパに当接し揺動させられて、鉤状部が不活性ガスチャンバ内に進入するようになされていると、チャンバ内において、長尺ごみを能率よく溶断することができる。
【００１２】
また、鉤状部の凹所を臨む部分に長尺ごみ切断切刃が設けられていると、長尺ごみを係合部材によってチャンバ内に引き込むまでに切断することができる。
【００１３】
【発明の実施の形態】
この発明の実施の形態を図面を参照してつぎに説明する。
【００１４】
図１を参照すると、破砕ごみ選別装置は、架台11に右上がりの傾斜状に支持されている横長箱型状ケーシング12と、ケーシング12内に収納されかつケーシング12と同じように傾斜させられるとともに、両端部をケーシング12から突出させている回転ドラム13とを備えている。そして、回転ドラム13には切断装置14が備えられ、これにより、テープ等の長尺ごみＴが切断されるようになっている。
【００１５】
架台11の左右両端部にはローラ21が２つずつ設けられ、これらローラ21に回転ドラム13の突出端部が支持されている。
【００１６】
ケーシング12の底壁右側には小片回収用ホッパ22が、その左側には中片回収用ホッパ23が設けられている。
【００１７】
回転ドラム13は、右端壁31および円筒状胴壁32を有している。右端壁31は、ケーシング12に図示しない手段によって固定されている。右端壁31にはごみ投入用ダクト33が設けられている。胴壁32の右端開口縁部は、右端壁31の外周縁部に摺動自在にはめ合わされている。胴壁32の左端は開口されており、これが大片排出口34を形成している。大片排出口34は、大片回収用シュート35内に入り込んでいる。
【００１８】
胴壁32のケーシング12内にある部分に選別エリヤが形成されているが、これは、右小片選別エリヤ41および左中片選別エリヤ42よりなる。右小片選別エリヤ41には多数の小片選別孔43が散在するようにあけられている。小片選別孔43は、１０ｍｍの径をもつ円に相当する小片を通過させうる大きさとされている。左中片選別エリヤ42には多数の中片選別孔44があけられているが、これらは、胴壁32の軸方４か所の円周上で列をなして等間隔で並んでいる。中片選別孔44は、１００ｍｍ×２００ｍｍの大きさをもつ方形状である。
【００１９】
切断装置14は、回転ドラム13に貫通させられているＳＧＰパイプ製絡ませバー51と、絡ませバー51に内蔵されているエンドレスチェーン52と、チェーン52に一定間隔で取付けられている複数のごみ係合部材53と、ごみ係合部材53の移動経路にそってごみ係合部材53の取付間隔と同じ間隔で設けられている複数の不活性ガスチャンバ54とを備えている。
【００２０】
絡ませバー51は、回転ドラム13の回転中心から所定距離を隔ててこれと平行にのびている。絡ませバー51の右端部は、回転ドラム13の右端壁31に固定され、その左端部は、ケーシング12側壁に固定されている。
【００２１】
チェーン52の右端部は従動スプロケット55に、その左端部は駆動スプロケット56にそれぞれ巻き掛けられている。駆動スプロケット56はモータ57に連結されている。
【００２２】
以下、図２〜図４に切断装置の詳細が示されている。
【００２３】
絡ませバー51は、横断面円形状周壁61と、これの高さの中程に設けられている仕切壁62と、周壁61の下端にこれにそってのびるように設けられているチェーンガイドレール63とよりなる。
【００２４】
チェーンガイドレール63は、下方開放横断面コの字状のもので、頂壁64および前後両側壁65よりなる。頂壁64には一定間隔で複数の連通孔66が設けられている。隣り合う連通孔66の間隔は、不活性ガスチャンバ54のそれに等しい。連通孔66の左右縁部には横断面略四半円形状ストッパ67がそれぞれ設けられている。両側壁65の対向面には一対の突出部68が対向状に設けられるとともに、両突出部68の先端面にはガイド溝69が向き合うように設けられている。突出部68は、ガイドレール63の全長にわたって存在されられているではなくて、隣り合うストッパの間だけに存在させられている（図２）。
【００２５】
チェーン52は、仕切壁62を挟んでその下側を送り側が、その上側を戻り側が移動するように配置されている。さらに、その送り側は、ガイドレール63内の突出部68の下方を移動するようになっている。チェーン52のごみ係合部材取付か所は、長リンク71によって構成されている。
【００２６】
ごみ係合部材53は、左右に長い方形板状のもので、長さの中程に上方突出耳72を有している。耳72の基部に下水平ピン73が、その先端部に上水平ピン74がそれぞれ貫通させられている。下水平ピン73は、長リンク71に渡し止められ、これにより、チェーン52からごみ係合部材53が揺動自在に吊り下げられている。上水平ピン74の両端部はガイド溝69に摺動自在にはめ入れられ、これにより、ごみ係合部材53の揺動が規制されるようになっている。ごみ係合部材53の左右両端部には鉤状部75がそれぞれ設けられている。鉤状部75の凹所を臨む部分には切刃76が設けられている。
【００２７】
不活性ガスチャンバ54は、下方開放箱型状のもので、ガイドレール63の連通孔66の縁部にこれを被覆するように設けられている。不活性ガスチャンバ54の側壁を貫通してガスノズル77がその噴孔を不活性ガスチャンバ54内に臨ませている。不活性ガスチャンバ54の天井には電熱コイル78が備えられている。
【００２８】
回転ドラム13を破砕ゴミＤを投入し、回転ドラム13を回転させると、小片が小片選別孔43を通過し、中片が中片選別孔44を通過することにより、投入された破砕ごみから小片および中片が選別される。小片選別孔43および中片選別孔44を通過できなかった大片は、大片排出口34から排出される。
【００２９】
小片は、埋立基準による埋立物に準拠する不燃物である。中片にはアルミニウムが含まれている。大片は、焼却処分される可燃物である。
【００３０】
回転ドラム13内で攪拌されるごみに含まれたテープＴは、バー51に絡むことになり、これを除去する必要がある。
【００３１】
モータ57の作動によってチェーン52を一定ストロークで往復動させる。そのストロークは、隣り合うごみ係合部材53の間隔に等しく、隣り合う不活性ガスチャンバ54の間隔に等しい。チェーン52とともにごみ係合部材53が移動させられ、絡ませバー51に絡んだテープＴは移動するごみ係合部材53の鉤状部75に係合し引っ張られる。この間に、引っ張られるテープＴの一部は切刃76によって切断される。上水平ピン74がガイド溝69に入り込んでいる間は、ごみ係合部材53が揺動することないが、ごみ係合部材53がストッパ67の近傍まで移動し、上水平ピン74がガイド溝69から抜け出すと、ごみ係合部材53の揺動は自由となる。上水平ピン74がガイド溝69から抜け出し、さらに、ごみ係合部材がストッパ67に向かって移動して、上方突出耳72がストッパ67に当接すると、下水平ピン73を中心としてごみ係合部材53が揺動させられる。チェーン52は停止させられる。そうすると、テープＴを係合している鉤状部75は不活性ガスチャンバ54内に進入し、テープＴは不活性ガスチャンバ54内に引き込まれる。この状態で、ガスノズル77を通じて不活性ガスをチャンバ54内に噴出させるとともに、電熱コイル78に通電し、１０〜２０秒程度電熱コイル78を高温に保つ。不活性ガスとしては、窒素ガスのように空気より軽いものがよい。また、チャンバ54内の不活性ガスも電熱コイル78によって暖められるため、不活性ガスチャンバ54内に滞留し易い。同時間が経過し、高温の電熱コイル78によってテープＴが焼き切られると、今度は、チェーン52を逆方向に移動させる。そうすると、ごみ係合部材53の鉤状部75は、切断されたテープとともに不活性ガスチャンバ54から退去させられ、上水平ピン74が再びガイド溝69にはめ入れられて、ごみ係合部材53はチェーン52とともにいままでとは反対方向に移動していく。移動するごみ係合部材53は、同じように、テープＴを係合して、上記不活性ガスチャンバ54の隣の不活性ガスチャンバ54内に引き込み、そこで、テープＴは切断される。以上の繰り返しにより、テープＴは連続的に切断されていく。
【００３２】
【発明の効果】
この発明によれば、長尺ごみが回転ドラムの選別用孔に引掛かることを防止し、選別性能低下や運転中止を防止できる。
【図面の簡単な説明】
【図１】この発明による選別装置の垂直縦断面図である。
【図２】同装置の要部を示す垂直縦断面図である。
【図３】図２のIII ーIII 線にそう断面図である。
【図４】図２のIVーIV線にそう断面図である。
【符号の説明】
13  回転ドラム
51  絡ませバー
52  チェーン
53  ごみ係合部材
54  ガスチャンバ
67  ストッパ
75  鉤状部
76  切刃
77  ガスノズル
78  電熱コイル
【図１】
0003684465.tif 000002
【図２】
0003684465.tif 000003
【図３】
0003684465.tif 000004
【図４】
0003684465.tif 000005